(57)【特許請求の範囲】
【請求項１】
カーテンを束ねるためのタッセルが掛止される房掛けにおいて、
壁面に取り付けられる本体と、
前記タッセルが掛止される掛止部と、
を備え、
前記掛止部の全体は、弾性変形可能な軟質材によって形成され、前記本体に着脱可能に取り付けられ、前記タッセルに所定の荷重が加わった場合に前記掛止部の全体が前記本体から離脱するようにしたことを特徴とする房掛け。
【請求項２】
カーテンを束ねるためのタッセルが掛止される房掛けにおいて、
壁面に取り付けられる本体と、
前記タッセルが掛止される掛止部と、
を備え、
前記掛止部は、弾性変形可能な弾性部材によって形成され、
前記本体には水平方向に対してわずかに下方に向かって突出するように形成された挿入孔を備え、
前記掛止部は前記挿入孔に挿入されて前記本体に取り付けられる挿入部を備えていることを特徴とする房掛け。
【発明の詳細な説明】
【技術分野】
【０００１】
本発明は、房掛けに関し、さらに詳しくは、カーテンを束ねた状態に保持しているタッセルに必要以上の荷重が加わった場合にタッセルが外れるようにした房掛けに関する。
【背景技術】
【０００２】
部屋の窓等に取り付けられているカーテン１を開いた場合には、図４に示すように、タッセル（tassel：房飾り）２によって束ねられ、壁等に取り付けられた房掛け３に掛止されて保持される。そして、カーテン１を束ねるためのタッセル２は、一般に帯状のものやロープ状のものが使用される。
【０００３】
房掛け３は、金属製又は樹脂製、或いは木製等の各種の材料によって形成されており、一般的な房掛け３としては、例えば図６に示すように、窓際の壁に取り付けられる縦長形状の本体３ａと、本体３ａから突設するようにして固定される略Ｌ字形状をした引掛部材３ｃとを備え、本体３ａの上下には壁面にネジ等で固定するための一対のネジ孔３ｂを有して構成されている。
【０００４】
房掛け３は、図４に示すように、本体３ａがカーテン１の高さ方向の略中間の高さ位置の窓の両側の壁面のそれぞれに図示しないネジによって固定されている。そして、使用者はカーテン１を片側端へ、あるいはカーテン１が両開きの場合は両側端へ集め、房掛け３の引掛部材３ｃにタッセル２の一端を掛止すると共に束ねられたカーテン１を取り巻くようにぐるりと沿わせようにしてタッセル２の他端を引掛部材３ｃに係着させる。この状態が図４である。
【０００５】
ところで、図４の状態において、カーテン１の近くで小さな子供が遊んでいた場合、タッセル２が子供の首に巻き付くなどして思わぬ事故を招くおそれがある。このような事故に対処できるようにした房掛金具としては、例えば特許文献１が提案されている。この特許文献１に示す房掛金具は、引掛部材を固定側金具に対して回動できるようにしておき、引掛部材はカーテンの房の一端が頭部側に係着し、他端が底部側に係着する構成とし、その引掛頭部が房によって水平方向に強く引っ張られた際、引掛頭部及び引掛部材が回動して房の係着部が引掛頭部から外れて自由になり、引張力が引掛部材に加わらなくなった時点で引掛部材が元の位置に復帰するようにしたものである。
【０００６】
また、図７（ａ），（ｂ）に示す「チャイルドセーフティータッセル」や図８に示す「チャイルドセーフティー房掛」も市販されている。図７のタッセル及び図８に示す房掛けは、いずれも立川ブラインド工業株式会社から販売されている（２０１４年４月のカタログに掲載）。図７のチャイルドセーフティータッセル４は、同図（ａ）に示すようにロープ４ａ，４ａの両端に球状体４ｃ，４ｃを設け、それぞれにマグネット４ｂ，４ｂを内蔵して構成されたアクセサリー部４０を備え、タッセル２が水平方向に強い引張力（例えば、６ｋｇの力）が加わった場合に、同図（ｂ）に示すようにマグネット４ｂ，４ｂの磁力によって引き寄せられていた球状体４ｃ，４ｃが開いてロープ４ａ，４ａの両端が自由になるというものである。
【０００７】
さらに、図８のチャイルドセーフティー房掛５は、縦長形状の本体５ａと、本体５ａに対して上下方向に回動可能に下端が軸支された可動部材５ｂによって構成されている。このチャイルドセーフティー房掛５においては矢印Ａ方向に強い引張力（荷重）が加わると、可動部材５ｂが矢印Ｂ方向に回動し、タッセル２の一端が可動部材５ｂから解放される。そしてタッセル２が外れると、内蔵されているスプリングの付勢力によって可動部材５ｂは元の縦位置に復帰し、本来のチャイルドセーフティー房掛５の形状になるというものである。
【先行技術文献】
【特許文献】
【０００８】
【特許文献１】特開２００７−２５２４５９号公報
【発明の概要】
【発明が解決しようとする課題】
【０００９】
しかし、特許文献１の房掛金具は構成が複雑になりコストダウンが難しい。また、図７に示す「チャイルドセーフティータッセル」は、図６に示す従来構成の房掛けをそのまま利用するものであり、引掛部材３ｃが子供の体に接触して怪我する虞がある。さらに、図８に示す「チャイルドセーフティー房掛」によると、タッセルが引っ張られて可動部材５ｂが横倒しになると内蔵されているスプリングの弾性力で可動部材５ｂが縦位置に復帰するが、その際に子供等の顔や手等の人体に接触した場合には思わぬ怪我を招くおそれがある。
【００１０】
そこで、本発明は、かかる問題点に鑑みなされたもので、カーテンを束ねた状態のタッセルに必要以上の荷重が加わった場合の安全性を確保すると共に、コストダウンを図った房掛けを提供することを目的とする。
また、本発明は、カーテンを束ねるためのタッセルを掛止するための房掛けの掛止部に接触すること等によって怪我などをしないような房掛けを提供することを目的とする。
【課題を解決するための手段】
【００１２】
上記課題を解決するために請求項１に記載の本発明は、カーテンを束ねるためのタッセルが掛止される房掛けにおいて、壁面に取り付けられる本体と、前記タッセルが掛止される掛止部とを備え、前記掛止部の全体は、弾性変形可能な軟質材によって形成され、前記本体に着脱可能に取り付けられ、前記タッセルに所定の荷重が加わった場合に前記掛止部の全体が前記本体から離脱するようにしたことを特徴とする。
【００１３】
上記課題を解決するために請求項２に記載の本発明は、カーテンを束ねるためのタッセルが掛止される房掛けにおいて、壁面に取り付けられる本体と、前記タッセルが掛止される掛止部とを備え、前記掛止部は、弾性変形可能な弾性部材によって形成され、前記本体には水平方向に対してわずかに下方に向かって突出するように形成された挿入孔を備え、前記掛止部は前記挿入孔に挿入されて前記本体に取り付けられる挿入部を備えていることを特徴とする。
【発明の効果】
【００１４】
本発明に係る房掛けによれば、掛止部に掛止しているタッセルに荷重が加わった場合にはその荷重によって掛止部が撓んでタッセルが掛止部から外れるようにすると共に、さらに大きな荷重が加わった場合には掛止部が本体から外れるようにしたので、タッセルが人体に絡む等の事故を未然に防止できるという効果がある。また、掛止部の全体を弾性変形可能な弾性部材で形成することとしたので、万一人体が接触しても怪我等を招くことがないという効果がある。
【図面の簡単な説明】
【００１５】
【図１】本発明に係る房掛けの一実施形態を示し、（ａ）は側面断面図、（ｂ）は正面図である。
【図２】本発明に係る房掛けの本体を示し、（ａ）は側面断面図、（ｂ）は平面図、（ｃ）は正面図、（ｄ）は背面図である。
【図３】本発明に係る房掛けの掛止部を示し、（ａ）は側面図、（ｂ）は平面図、（ｃ）は正面図、（ｄ）は背面図である。
【図４】本発明に係る房掛けの使用状態を示し、（ａ）は通常の状態を示す斜視図、（ｂ）は引掛頭部がタッセルに引っ張られて撓んだ状態を示す斜視図、（ｃ）は本体と掛止部が分離した状態を示す斜視図である。
【図５】従来の房掛けの基本的な形状を示す斜視図である。
【図６】本発明に係る房掛けの使用状態を示す斜視図である。
【図７】安全性を考慮したタッセルの構成例を示し、（ａ）は正面図、（ｂ）は使用状態を示す斜視図である。
【図８】安全性を考慮した房掛けの構成例を示す斜視図である。
【発明を実施するための形態】
【００１６】
［房掛けの構成］
以下、本発明に係る房掛けについて、好ましい一実施形態に基づいて詳細に説明する。図１は本発明に係る房掛けの一実施形態を示し、（ａ）はその断面図、（ｂ）はその正面図である。図示された房掛け６は、概略として、ＡＢＳ樹脂等の樹脂材による本体７と、この本体７に対して着脱自在に結合される弾性変形可能な弾性部材（例えば、軟質シリコン樹脂、シリコンゴム等）によって形成された掛止部８とを備えて構成されている。そして、房掛け６は両面粘着テープやネジによって壁等へ取り付け固定されて使用される。房掛け６の掛止部８は、外部から加わった荷重に応じて適度に撓み、さらには掛止部８が本体７から外れるようになっている。尚、弾性部材は上述の軟質シリコン樹脂、シリコンゴムに限定されるものではなく、適宜の材料を用いることができることはいうまでもない。
【００１７】
図２は本体７の構成を示す図である。図２（ａ）〜（ｄ）に示すように縦長で上下端が半円形を成し、中心よりやや下側には円形の開口７０が形成され、その開口７０から前方へ同図（ａ），（ｂ）に示すようにやや下向きに突出する円筒状の挿入孔７１が設けられている。挿入孔７１の内部は後述する掛止部８の膨出部８２が弾性変形して嵌合するように背面側の開口径が幅広くなった段状に形成されている。この本体７の形状の一例を示せば、縦６０×幅１６×厚み５（ｍｍ）である。
【００１８】
図３は掛止部８の構成を示す図である。図３（ｃ）及び図１（ａ）に示すように、掛止部８はその外形形状は縦長に形成され、且つ、図３（ａ）及び図１に示すように、側面方向から見て弓形に湾曲した掛止片８０と、この掛止片８０の背面の中心部と下端の略中間位置から後方へ筒状に突出して本体７の挿入孔７１に挿入される挿入部８１とを備えて構成されている。掛止片８０が弓形としたので両端部の前方（室内側）への張り出しが少なくなり、しかも掛止片８０が弾性部材で作られていることから、人の衣服に引っ掛けたり、子供の顔や手等に接触して怪我をさせたりする等の事故を防止することができる。
【００１９】
挿入部８１の先端部には、図３（ａ）に示すように、その直径がやや大きくなった膨出部８２が形成されている。そして、膨出部８２には先端側に至るに従って次第に幅狭となるようなテーパ８３が設けられており、本体７の挿入孔７１への挿入を容易にしている。この膨出部８２を有することによって、挿入部８１が本体７の挿入孔７１に挿入されたとき、膨出部８２部分が挿入孔７１の段状の部分に係止することで少々の外力の付与では挿入部８１が挿入孔７１から通常の使用状態において容易に抜け出すことがないように形成されている。
【００２０】
このように、挿入孔７１に挿入された挿入部８１は、図３（ａ）の左方向に所定の力が加わることによって挿入孔７１から容易に外すことができるようになっている。また、挿入部８１は断面円形状に形成されており、挿入部８１を回動軸として回動可能とされているが、挿入部８１の断面を四角形等の多角形状とすることにより回動しないように構成することももちろん可能である。尚、タッセル２は挿入部８１よりも上側の部分である引掛頭部８４に掛止される。
【００２１】
［房掛けの作用］
次に、房掛け６の作用について図１〜図３及び図４を参照して説明する。まず、本体７の挿入孔７１に掛止部８の挿入部８１を挿入する。掛止部８は全体が弾性部材である軟質シリコン樹脂によって形成されているので挿入孔７１への挿入部８１の挿入が容易であり、また挿入部８１の先端にはテーパ８３が設けられているため挿入部８１が弾性変形して挿入孔７１の段部にしっかりと係止される。これにより使用者は特に負荷を感じることなく容易に掛止部８を挿入孔７１に取り付けることができる。以上の手順によって図１（ａ）に示すような房掛け６が形成される。
【００２２】
房掛け６は窓際などの所定箇所の壁面に予めネジや両面粘着テープ等によって固定されている。そして、カーテン１を開いた場合には、図４（ａ）に示すように、カーテン１は片側端あるいは両側端へ集められ、タッセル２の両端部を房掛け６に係止することによって束ねられた状態となる。ここで、例えば幼児等が誤ってタッセル２に首を引っ掛けてしまったような場合でも掛止部８はその荷重によって撓むことによってタッセル２が外れる。これにより首が絞まることが回避される。
【００２３】
また、タッセル２は、図３（ａ）に示す膨出部８２より上側の引掛頭部８４に掛止されるので、掛止部８の変形（捩れ、撓み）の殆どは挿入部８１より上側の引掛頭部８４及び挿入部８１の根元部分に生じる。そのため、例えば図３（ｃ）の右側に矢印で示されるＤ方向へ荷重が加わると掛止部８の引掛頭部８４が挿入部８１を回動軸として回動を始める。そして、掛止部８の回動がある角度に達すると、図４（ｂ）に示すようにタッセル２の一端に設けられたループが掛止部８の引掛頭部８４から外れて自由になる。また、掛止部８の変形や回動によってもタッセル２が引掛頭部８４から外れなかった場合であっても、引掛頭部８４にさらなる荷重が加わると挿入部８１が図４（ｃ）に示すように外れるので挿入孔７１から抜け落ちるのでタッセル２を引掛頭部８４から確実に外すことができる。
【００２４】
掛止部８が本体７から抜け落ちた場合には再び掛止部８の挿入部８１を本体７の挿入孔７１へ挿入することで房掛け６を元の状態へ復帰させることができ、以後、房掛け６は再び使用可能な状態となる。また、抜け落ちた掛止部８は柔らかな軟質シリコン樹脂で形成されているので万一人が足で踏みつけたりした場合でも大事に至ることはない。
【００２５】
このように、本実施形態に係る房掛け６によれば、掛止部８を弾性部材によって形成することにより外力に対して変形（捩れや撓み）可能とし、また、掛止部８を本体７から着脱可能としたので、引掛頭部８４に係着しているタッセル２に荷重が加わった場合には容易にタッセル２が引掛頭部８４から外れるので首が絞まる等の不慮の事故を未然に防止できるという効果がある。また、引掛頭部８４の全体を軟質シリコン樹脂等の弾性部材としたことにより人体が接触しても怪我等を招くことがないという効果がある。
【００２６】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００２７】
１      カーテン
２      タッセル
６      房掛け
７      本体
８      掛止部
７０      開口
７１      挿入孔
８０      掛止片
８１      挿入部
８２      膨出部
８３      テーパ
８４      引掛頭部
【図１】
0006480679.tif 000002
【図２】
0006480679.tif 000003
【図３】
0006480679.tif 000004
【図４】
0006480679.tif 000005
【図５】
0006480679.tif 000006
【図６】
0006480679.tif 000007
【図７】
0006480679.tif 000008
【図８】
0006480679.tif 000009